(57)【要約】【課題】  ラップ収納箱に固着されているラップ切断歯辺部の軟弱化によりラップの切断を試みたとき、ラップ切断歯辺部が捲れラップが切断できなくなることがある。【解決手段】  ラップ箱収納箱の開閉部を構成する上蓋上面部、上蓋側面部、上蓋ベロ部の形態に適った形状を枠板で形設した本体に、切断歯辺部を補強し、切断歯辺部とラップをラップ収納箱に押し当て、切断歯辺部の軟弱化を防ぐための凸部と、本体とラップ箱を着脱するための押さえ部を設けたことを特徴とするラップ切断補助器である。【選択図】図２
2011126600.tif 000002
【特許請求の範囲】
【請求項１】
ラップ収納箱の上蓋開閉部を構成する上蓋上面部、上蓋側面部、上蓋ベロ部の形態に適った形状を枠板により本体を形成し、本体を構成する枠板の内側面部に、ラップ箱開閉部に設けられた切断歯の切断歯辺部に沿ってあてがい、ラップ切断歯辺部を補強し軟弱化を防ぐための凸部と、本体とラップ収納箱を着脱するためのラップ箱押さえ部を設けたことを特徴とするラップ切断補助器である。
【請求項２】
本発明の形態を枠型により形成した請求項１のラップ切断補助器。
【発明の詳細な説明】
【技術分野】
【０００１】  本発明は、ラップ収納箱上蓋開閉部に設けられたラップ切断歯辺部の軟弱化により、ラップ切断時、切断歯辺部が捲れ、ラップが切断できなくなる要因を解決することができるラップ切断補助器に関するものである。
【技術背景】
【０００２】  従来、家庭で使用するラップのほとんどが厚紙の箱の内に収納されていて、ラップを使用するときは箱の中からラップを引き出し、ラップの上に切断歯を押し当てラップを切断しているが、ラップを何度も切断していると切断歯辺部を構成する厚紙部分が軟弱化し切断歯辺部が捲れラップが思うように切断できない。
【発明の開示】
【発明が解決しようとする課題】
【０００３】  そのために、次のような問題点があった。
（イ）  ラップ収納箱の中から必要な長さのラップを引き出しラップを切断しようとするが、切断歯辺部が捲れラップが切断できないときがある。そのため、実際に使用するラップの長さ以上のラップを箱から引き出してしまうことがある。
（ロ）  いったん箱から引き出してしまった不必要なラップを箱の中に戻そうとしたとき、きれいに納まらないことがある。そのため、引き出してしまったむだなラップをそのまま使用してしまうことがあり大変不経済である。
（ハ）  また、ラップを切断しようとしたとき、ラップが切断できないので余分な力を要してしまうことがある。そのため、ラップが箱の中から飛び出してしまうこともある。いったん箱の中から飛び出してしまったラップは元のように収まらないことがあり、次に使用するときラップの先端部を摘み箱からスムーズに引き出せないことがある。
（ニ）  ラップが一気に切断できず何度も切断する行為を試みているうちにイライラするときもあり精神的にも良くない。
（ホ）  収納されたラップを使い切ると、切断歯辺部が軟弱化したラップ収納箱は、切断歯辺部いがい外装が保たれているにもかかわらず再利用できない。そのため箱は廃棄するしか方法がなく、エコの観点からも大変不経済である。
本発明は、これらの問題点を解決するために考案されたものである。
【問題を解決するための手段】
【０００４】  本発明は、上記問題点を解決するために、ラップ収納箱上蓋開閉部に設けられたラップ切断歯辺部を補強し、ラップの切断歯辺部が捲れあがりラップが切断できなくなる要因を解決するために考案されたものであり、本発明の目的と新規な特徴は次に記載する説明を添付図面と照らし合わせ読むとより明らかになるであろう。
【０００５】  ラップ収納箱上蓋開閉部（１０）を構成する上蓋上面部（１１）、上蓋側面部（１２）、上蓋ベロ部（１３）の形態に適った形状を枠板（１）（２）（３）により本体（４）を形成し、本体を成形する枠板（１）の内側面部（５）にラップ箱開閉部に固着された切断歯（１４）の切断歯辺部（１５）に沿って、ラップ（１６）と切断歯辺部を収納箱に押し当て、切断歯辺部を補強し、切断歯辺部の軟弱化を防ぐための凸部（６）を設け、枠板（２）の内側面部（７）に本体とラップ収納箱を着脱するためのラップ箱押さえ部（８）を、枠板（３）の内側面（９）に並列し突設したことを特徴としたものである。（図面１．２参照）
以上のような簡単な構造であるが、本発明にあっては次に列挙する効果が得られる。
【発明の効果】
【０００６】（イ）  ラップ収納箱開閉部に設けられた切断歯の辺部に沿って凸部をあてがい、切断歯辺部を補強することにより、ラップが切断できなくなる主な要因、切断歯辺部の軟弱化を防ぐことが出来る。
（ロ）  切断歯辺部を凸部で補強することにより、ラップ切断時、切断歯辺部が捲れあがることがなく、ラップが一気に切断できるのでイライラすることが無くなった。
（ハ）  切断歯辺部を補強することで切断歯辺部が強くラップに押し当てられ、ラップが容易に切断できる。そのため無駄なラップを箱の中から引き出すことがなくなった。
（ニ）  切断歯辺部が長期間軟弱化しないため、従来、箱の中に収納されたラップが無くなると切断歯辺部が捲れあがってしまったラップ箱は再利用できず、箱は廃棄するしかなかったが、切断歯辺部が補強され切れ味が持続するラップ箱は、箱の中のラップが無くなっても箱を廃棄する必要がなく、箱に収納するラップだけを交換することができる。
（ホ）  箱入りのラップとは別にラップだけを生産し販売出来るので、新たなラップ製造に携わる産業が見込める。
（ヘ）  箱ごとラップを購入せずにラップだけを購入し箱に収めれば、箱はそのまま再利用できるので、日常頻繁に利用するラップ購入価格の低下が見込める。
（ト）  本発明の構造も簡単であり本発明を製造するとき、本発明の形態を成形した枠型により大量生産が可能である。
（チ）  大量生産が可能であるので本発明品一個当たりの単価も安価な製造価格で提供できる。
（リ）  本発明の部、枠板（１）枠板（２）枠板（３）の裏面部（１８）に、本発明品の使用方法、生産会社、販売会社の伝言、宣伝等を印刷することもできる。（図面９参照）
（ヌ）  本発明の本体（４）の裏面部（１８）に磁石（１９）を装着することもでき、冷蔵庫等の金属面にラップを収納した箱ごと本発明品を付着させることが出来きる。（図面１０。１７参照）
（ル）  ラップを使用するときは冷蔵庫等の側面から磁石ごと本発明品と一緒にラップ箱を取り外すことができるので日常頻繁に使用するラップの保管場所にも便利である。（図１７参照）
（オ））  本体に設けられた凸部の効果により、ラップ切断歯辺部とラップを箱に密着させることができるので、箱に装備されているラップが箱の中に巻き戻ることを防ぐための粘着テープ等にラップが着きやすい。そのため、ラップ巻き戻り防止にも効果がある。
（ヮ）  本発明品を単色に統一することなくカラフルな色を施すこともできる。そのため、好みに応じた色合いのものを選び購入することができる。
（カ）  本発明品を応用し、ラップ切断の他に厚紙等の箱に収納されたガムテープ、セロハンテープ等の切断にも効果が得られる。
【本発明を実施するための最良な形態】
【０００７】  以下、本発明を実施するための形態を説明する。
【０００８】  本発明は特に材料を限定するものではなく、ラップ収納箱に設けられた切断歯の切断歯辺部に沿ってあてがい、切断歯辺部を補強し、切断歯辺部の軟弱化を防ぐことの出来る材質の材料であれば良く、例に示せばプラスチック、アクリル、塩化ビニール、平板等で本発明を構成する。
【０００９】第１実施例
本発明の本体（４）を構成する枠板（１）の内側面部（５）にラップ（１６）と切断歯（１４）を収納箱に押し当て、切断歯の切断歯辺部（１５）を補強するため凸部（６）を設け、枠板（２）の内側面（７）に、本体とラップ箱を着脱するためのラップ箱押さえ部（８）を、枠板（３）の内側面部（９）に並列し突設する。（図面２参照）
【００１０】第２実施例
本発明を構成する枠板（１）の内側面部（５）に凸部（６）を設けずに本体（４）を形成した第１実施例と同様な効果が得られる第２実施例。（図５．６参照）
【００１１】第３実施例
本発明を構成する枠板（１）の内側面部（５）に凸部（６）とは異なる凸部（１７）を設けた第１実施例と同様な結果を得られる第３実施例。（図面７参照）
【００１２】第４実施例
本発明を構成する枠板（１）の内側面部（５）に凸部（６）を設け、枠板（２）の内側面（７）に突設したラップ箱押さえ部（８）を、枠板（１）の内側面部（５）に並列した第１実施例と同様な結果を得られる第４実施例。（図面８参照）
【００１３】第５実施例
本発明の形態を枠型により形成した請求項１と同様な効果が得られる第５実施例。
【００１４】第６実施例
本発明を構成する枠板の裏面部（１８）に磁石（１９）を装着した第一実施例と同様な効果を得られる第６実施例。（図面１０参照）
【００１５】第７実施例
本発明を構成する枠板の（１）の内側面（５）に、本発明の凸部と異なる突起物を設けても実施例１と同じ効果が得られる第７実施例。
本発明は以上のような簡単な構成によりなっている。
以下、本発明の使用方法を図面とともに詳細に説明する
【００１６】（イ）  ラップ収納箱（図面１１参照）のベロ部（１３）を開き、ベロ部を収納箱から切り離（２０）（２１）す。（図面１１．１２参照）
（ロ）  次に、枠板（２）の内側面部（７）に本発明とラップ箱を着脱するために設けたラップ箱押さえ部（８）の底面部（２２）と、枠板（１）の内側面（５）に設けた凸部（６）の辺部（２７）に沿って箱から切り離されたベロ部の両先端を差し込む。（図面１３参照）
（ハ）  次に、差し込んだ両先端部を枠板（２）の内側面（７）まで差し込む。（図面１４参照）
（二）  次に、上記により本発明品を装着したラップ箱を閉じる。（図面１５参照）
（ホ）  次に、ラップ箱の上に装着した本体（４）の裏面部（１８）の任意の箇所に指先を当て、ラップ収納箱から引き出したラップを切断する。（図面１６参照）
本発明は上記説明の通り、簡単な手順によりその効果が得られる。
【図面の簡単な説明】
【００１７】
【図１】ラップ箱主要部拡大図
【図２】本発明の正面俯瞰図
【図３】本発明の主要部断面拡大図
【図４】本発明の主要部拡大図
【図５】本発明と異なる形態の正面俯瞰図
【図６】本発明と異なる形態の主要部拡大図
【図７】本発明と異なる形態の凸部を設けた正面俯瞰図
【図８】本発明と異なる形態の主要部拡大図
【図９】本発明の本体裏面図
【図１０】本発明の裏面部に磁石を装着した図
【図１１】ベロ部を開いた図
【図１２】ベロ部をラップ箱から切り離した図
【図１３】切り離したベロ部の両先端をラップ箱押さえ部底面部と凸部に沿って差しこんだ図
【図１４】ラップ箱を差し込んだ図
【図１５】ラップ箱を閉じた底面斜視図
【図１６】指先を当てた図
【図１７】本発明品を冷蔵庫に装着した拡大図
【符号の説明】
【００１８】  １    枠板
２    枠板
３    枠板
４    本体
５    枠板１の内側面
６    凸部
７    枠板２の内側面
８    ラップ箱押さえ部
９    枠３の内側面部
１０    ラップ箱上蓋開閉部
１１    ラップ箱上蓋上面部
１２    ラップ箱上蓋側面部
１３    ラップ箱上蓋ベロ部
１４    切断歯
１５    ラップ切断歯辺部
１６    ラップ
１７    本発明と異なる形態の凸部
１８    本発明の本体裏面部
１９    磁石
２０    ベロ部を切り取った部
２１    ベロ部を切り取った部
２２    押さえ部の底面部
２３    ラップ箱内面部
２４    指先
２５    ラップ箱
２６    冷蔵庫
２７    凸部の辺部
【図１】
2011126600.tif 000003
【図２】
2011126600.tif 000004
【図３】
2011126600.tif 000005
【図４】
2011126600.tif 000006
【図５】
2011126600.tif 000007
【図６】
2011126600.tif 000008
【図７】
2011126600.tif 000009
【図８】
2011126600.tif 000010
【図９】
2011126600.tif 000011
【図１０】
2011126600.tif 000012
【図１１】
2011126600.tif 000013
【図１２】
2011126600.tif 000014
【図１３】
2011126600.tif 000015
【図１４】
2011126600.tif 000016
【図１５】
2011126600.tif 000017
【図１６】
2011126600.tif 000018
【図１７】
2011126600.tif 000019